(57)【特許請求の範囲】
【請求項１】
パトローネを収納するパトローネ室と、前記パトローネから引き出したフイルムをロール状に収納するフイルム室と、このパトローネ室の上部に回動自在に配置され、前記パトローネのスプールを回転させて撮影済みのフイルムをパトローネ内に巻き込む巻き上げノブとを有するレンズ付きフイルムユニットにおいて、
前記スプールの上端には、内壁に内歯を形成した軸孔を設け、前記巻き上げノブの下面には、外壁に外歯を形成した駆動軸を設けるとともに、この駆動軸の外径をスプールの軸孔の内径よりも小さく形成し、前記内歯と外歯とを背面側で部分的に噛合させることにより、前記スプールの回転中心に対して巻き上げノブの回転中心を背面側に偏心させたことを特徴とするレンズ付きフイルムユニット。
【発明の詳細な説明】
【０００１】
【発明の属する技術分野】
本発明はレンズ付きフイルムユニットに関するものである。
【０００２】
【従来の技術】
レンズ付きフイルムユニットは、簡単な撮影機構を備えたユニット本体に予め未露光の写真フイルムパトローネを内蔵させたもので、カメラを携帯していなくても手軽に写真撮影を行うことができ、本出願人からも、例えば、「Ｓｕｐｅｒ写ルンです」（商品名）等が広く一般に提供されている。
【０００３】
レンズ付きフイルムユニットは、一般に、ＩＳＯ規格に適合した１３５フイルムパトローネが用いられる。そして、その組み込み時にはパトローネから写真フイルムを引き出してロ−ル状にまとめ、それぞれパトローネ室、フイルム室に装填するか、あるいは、１３５フイルムパトローネをパトローネ室に装填したのち、パトローネから写真フイルムを引き出してフイルム室にロール状に収納する。そして、使用時には撮影の度に、パトローネ本体のスプールに係合している巻き上げノブを回転させて、フイルム巻き上げ操作を行うと、撮影済みの写真フイルムが順次パトローネ内に巻き込まれるようになっている。
【０００４】
このようなレンズ付きフイルムユニットは、構成部品や構造が常に改良、改善されてきた結果、最新型のレンズ付きフイルムユニットの外形サイズは、初期型のものと比較すると、大幅に小型化されている。とくに、レンズ付きフイルムユニットの厚みは、その携帯性に非常に大きな影響があり、近年のレンズ付きフイルムユニットの厚みは、益々薄型化されてきている。
【０００５】
【発明が解決しようとする課題】
上述したように、レンズ付きフイルムユニットの外形、特にその厚みが大幅に薄くなると、それにつれて、フイルム巻き上げ操作を行うための巻き上げノブも、必然的に小径なものになる。しかしながら、巻き上げノブが小径になると、巻き上げノブの操作が重くなり、その操作力は巻き上げノブが小径になる程、大きくなる。その結果、レンズ付きフイルムユニットの快適な操作性が低下し、フイルム巻き上げ操作が非常に煩わしいものとなり問題である。
【０００６】
また、巻き上げノブが小径になると、レンズ付きフイルムユニットの裏面から突出する巻き上げノブの周面の突出量が少なくなり、巻き上げノブの回動操作がしづらくなる。
【０００７】
一方、レンズ付きフイルムユニットを薄型化しても、巻き上げノブは従来どおり大きな径ものを使用すると、巻き上げノブの操作力は大きくはならないが、今度は、巻き上げノブがレンズ付きフイルムユニットの前面から大きく突出する事になり、外観が悪くなるばかりか、携帯性も損なわれる。
【０００８】
本発明は上記従来技術の問題点を考慮してなされたもので、レンズ付きフイルムユニットを薄型化しても、巻き上げノブの操作に必要な操作力を低く維持すると共に、巻き上げノブの操作性を向上させたレンズ付きフイルムユニットを提供することを目的とする。
【０００９】
【課題を解決するための手段】
本発明は上記目的を達成するために、本発明のレンズ付きフイルムユニットは、パトローネを収納するパトローネ室と、前記パトローネから引き出したフイルムをロール状に収納するフイルム室と、このパトローネ室の上部に回動自在に配置され、前記パトローネのスプールを回転させて撮影済みのフイルムをパトローネ内に巻き込む巻き上げノブとを有するレンズ付きフイルムユニットにおいて、前記スプールの上端には、内壁に内歯を形成した軸孔を設け、前記巻き上げノブの下面には、外壁に外歯を形成した駆動軸を設けるとともに、この駆動軸の外径をスプールの軸孔の内径よりも小さく形成し、前記内歯と外歯とを背面側で部分的に噛合させることにより、前記スプールの回転中心に対して巻き上げノブの回転中心を背面側に偏心させたものである。
【００１０】
【発明の実施の形態】
以下、本発明の実施の形態を図面を参照して説明する。図２は本発明を実施したレンズ付きフイルムユニットの分解斜視図であり、図３は、そのパトローネ室付近の断面図である。レンズ付きフイルムユニット２は、シャッタ装置４や撮影レンズ５等を組み込んだ撮影ユニット６、本体部７及びこれに前後から爪止めされる前カバ−８、後カバ−９で構成されている。
【００１１】
前カバ−８には撮影レンズ５、ファインダ１１、撮影枚数表示板１２などを露出させるための穴が設けられており、また、レリ−ズボタン１４が一体に設けられている。本体部７には、露光開口であるアパーチャ１０を挟んで両側にパトロ−ネ室１６とフイルム室１７とが一体に形成されている。そして、内部に写真フイルムパトロ−ネ１８と、パトロ−ネ本体１９から引き出された写真フイルム２１をロール状にまとめたフイルムロール２１ａが各々収納される。
【００１２】
このような写真フイルムパトローネ１８のパトロ−ネ本体１９には、スプール２２が軸着されている。スプール２２には写真フイルム２１が巻き付けられ、その一端はパトロ−ネ本体１９から突出している。このスプール２２のパトロ−ネ本体１９から突出している部分には、図１に示すように、内面に係合部である内歯２２ｂが刻まれた軸孔２２ａが設けられている。この内歯２２ｂは、後述する巻き上げノブ２６の駆動軸２６ａに刻まれた外歯２６ｂの一部と噛合する。
【００１３】
写真フイルム２１は、ポリエチレンテレフタレート（ＰＥＴ），又はポリエチレンナフタレート（ＰＥＮ）を４０℃〜ガラス転移点以下の範囲でアニール処理したものをベースに、乳剤層を形成したものである。このようなアニール処理を施したＰＥＴやＰＥＮは、従来の写真フイルムベースに用いられていたトリアセチルセルロース（ＴＡＣ）と比較して剛性に富み、また形状復元性も高いので、ＴＡＣベースの写真フイルムよりも薄くすることができ、写真フイルム巻き上げ時の巻き上げ力の低減が図れる。
【００１４】
パトロ−ネ室１６の上面には、スプール２２の一端が貫入して突出する開口２５が設けられている。そして、この開口２５の周縁部２５ａには、写真フイルム２１を巻き上げるための巻き上げノブ２６が軸着される。図１に示すように、この周縁部２５ａは、開口２５に貫入するスプール２２の回転軸ａから後カバー９方向にずれるように形成されており、これにより、周縁部２５ａに軸着される巻き上げノブ２６の回転軸ｂはスプール２２の回転軸ａよりも後カバー９方向にずれた位置になる。
【００１５】
巻き上げノブ２６の下面には、外歯２６ｂが刻まれた駆動軸２６ａが一体に設けられている。この駆動軸２６ａの外径は、スプール２２の軸孔２２ａの内径よりもかなり小さく形成されており、巻き上げノブ２６が周縁部２５ａに軸着され写真フイルムパトローネ１８がパトロ−ネ室１６に収納されると、駆動軸２６ａが軸孔２２ａ内に貫入する。そして、図１に示すように、互いに回転軸がずれている状態で、駆動軸２６ａの外歯２６ｂの一部が軸孔２２ａの内歯２２ｂと噛合する。このように、巻き上げノブ２６とスプール２２は、偏心ギアで連動する状態となる。
【００１６】
後カバ−９には、パトロ−ネ室底蓋９ａ、及びフイルム室底蓋９ｂが各々一体に設けられ、パトロ−ネ室１６の底部とフイルム室１７の底部を各々光密に覆うようになっている。また、後カバ−９の上端部には、開口９ｃが設けられており、巻き上げノブ２６の一部が露出している。
【００１７】
上記構成による作用について説明する。レンズ付きフイルムユニット２のフイルム巻き上げ時には、後カバ−９の開口９ｃから露出している巻き上げノブ２６を回動させる。巻き上げノブ２６が回動すると、一体に形成された駆動軸２６ａも回動する。駆動軸２６ａの外歯２６ｂは軸孔２２ａの内歯２２ｂと噛合しているので、駆動軸２６ａの回動によりスプール２２が回動する。これにより、撮影済みの写真フイルム２１がパトロ−ネ本体１９内に巻き上げられる。
【００１８】
巻き上げノブ２６が軸着される周縁部２５ａは、開口２５に貫入するスプール２２の回転軸ａから後カバー９方向にずれるように形成され、巻き上げノブ２６の回転軸ｂとスプール２２の回転軸ａとは互いに偏心位置で、外歯２６ｂと内歯２２ｂにより連動する。
【００１９】
その結果、巻き上げノブ２６はスプール２２の回転軸ａよりも後カバー９方向にずれた位置に軸着されるので、巻き上げノブ２６を薄型のレンズ付きフイルムユニット２に合わせて小径のものを使用しても、巻き上げノブ２６は後カバー９の開口９ｃから充分に露出し、撮影者は容易に巻き上げノブ２６を回動させることができる。また、巻き上げノブ２６が後カバー９方向にずれた位置に軸着されることにより、巻き上げノブ２６の周面がレンズ付きフイルムユニット２の前面から見苦しく突出することもない。
【００２０】
また、駆動軸２６ａの外径は、軸孔２２ａの内径よりもかなり小さく形成されており、外歯２６ｂを回転させたときの内歯２２ｂの回転は、減速ギアの組み合わせになるので、巻き上げノブ２６を小径にしても、撮影者は軽い力で容易に巻き上げノブ２６を回動させることができる。
【００２１】
ところで、レンズ付きフイルムユニットは本来ユニット本体からフイルムを分離することができない商品として作られているが、一部のユーザー、あるいは現像取扱店の中にはフイルムを詰め替えて使用、販売を行うものがある。しかしながら、このようにフイルムの詰め替えを行うと、レンズ付きフイルムユニットの高い品質を維持することが難しくなり、フイルム巻き上げの不良や、甚だしい場合には光漏れによる感光等の障害が発生することがある。そして、レンズ付きフイルムユニットの高い信頼を損なうことになる。
【００２２】
このような弊害は、特に上述した内歯２２ｂのない従来のスプールを用いたフイルムパトローネを詰め替えしたときに発生する。ところが、上述したレンズ付きフイルムユニット２では、内歯のないスプールをもったフイルムパトローネが詰め替えされたとしても、巻き上げノブ２６の外歯２６ｂがスプールと係合することがなく、最初から使用不能状態となり、上述のような弊害は生じない。
【００２３】
なお、上記実施の形態では、巻き上げノブの駆動軸とスプールの軸孔との係合手段として、内歯と外歯の歯車噛合によっているが、もちろん、係合手段はこれに限定するものではない。また、写真フイルムベースにはＰＥＴ、ＰＥＮ樹脂を用いているが、もちろんこれも他の各種樹脂を用いてもよい。
【００２４】
【発明の効果】
以上のように、本発明のレンズ付きフイルムユニットによれば、スプールの上端に設けた軸孔の内壁に内歯を形成し、巻き上げノブの下面に設けた駆動軸の外壁に外歯を形成するとともに、駆動軸の外径をスプールの軸孔の内径よりも小さく形成し、内歯と外歯とを背面側で部分的に噛合させたので、外歯を回転させたときの内歯の回転は減速ギアの組み合わせになり、巻き上げノブを小径にしても、軽い力で容易に巻き上げノブを回動でき、巻き上げノブの操作性を向上できる。また、スプールの回転中心に対して巻き上げノブの回転中心を背面側に偏心させたので、巻き上げノブを薄型のレンズ付きフイルムユニットに合わせて小径のものを使用しても、巻き上げノブが背面側から充分に突出し、撮影者は容易に巻き上げノブを回動でき、巻き上げノブの操作性を向上できるとともに、巻き上げノブの周面がレンズ付きフイルムユニットの前面から見苦しく突出することがない。
【図面の簡単な説明】
【図１】本発明を実施したレンズ付きフイルムユニットのパトローネ室付近を示す説明図である。
【図２】本発明を実施したレンズ付きフイルムユニットの分解斜視図である。
【図３】本発明を実施したレンズ付きフイルムユニットのパトローネ室付近の断面図である。
【符号の説明】
２  レンズ付きフイルムユニット
１６  パトローネ室
１８  写真フイルムパトローネ
２２  スプール
２２ａ  軸孔
２２ｂ  内歯
２５  開口
２５ａ  周縁部
２６  巻き上げノブ
２６ａ  駆動軸
２６ｂ  外歯
【図１】
0003723257.tif 000002
【図２】
0003723257.tif 000003
【図３】
0003723257.tif 000004